(57)【要約】【課題】構造がシンプルで、製造コストやランニングコストを抑えたミラーの曇り止め構造を提供すること。【解決手段】本発明のミラーの曇り止め構造は、浴室１のミラー２の表面２０と対向する位置に透明板３を設け、ミラー２の表面２０と透明板３との間に湯を溜める貯湯空間４を形成することを特徴とする。【選択図】図１
2011245021.tif 000002
【特許請求の範囲】
【請求項１】
浴室のミラーの表面と対向する位置に透明板を設け、前記ミラーの前記表面と前記透明板との間に湯を溜める貯湯空間を形成することを特徴とするミラーの曇り止め構造。
【請求項２】
前記透明板の下端部には、前記貯湯空間に連通する水抜き孔が開閉自在に設けられていることを特徴とする請求項１に記載のミラーの曇り止め構造。
【請求項３】
前記透明板は、前記ミラーに対して位置変更自在に設けられていて、位置変更によって前記貯湯空間と連通する水抜き用隙間が形成されることを特徴とする請求項１又は２に記載のミラーの曇り止め構造。
【発明の詳細な説明】
【技術分野】
【０００１】
本発明は、浴室等のミラーの曇り止め構造に関するものである。
【背景技術】
【０００２】
従来から、浴室のミラーが曇ることを防止する構造として、ミラーの裏側に給湯用パイプやヒータを設け、ミラーを裏側から温める構造のものが提案されている（特許文献１，２参照）。
【先行技術文献】
【特許文献】
【０００３】
【特許文献１】特開平８−１４０７９９号公報
【特許文献２】特開平１０−５７２０８号公報
【発明の概要】
【発明が解決しようとする課題】
【０００４】
しかし、ミラーの裏側に給湯用パイプを設ける場合、給湯用パイプは、ミラーの裏面全体に亘って張り巡らせねばならず、全体として構成が大掛かりなものとなってしまい、製造コストが嵩むといった問題があった。
【０００５】
また、ミラーの裏側にヒータを設ける場合、ヒータに水が付着してショートを起こさないように防水構造を設けなければならず、これもまた、全体として構成が大掛かりなものとなって、製造コストが嵩む上に、通電のためのランニングコストも嵩むという問題があった。
【０００６】
本発明は前記事情に鑑みて発明したものであって、構造がシンプルで、製造コストやランニングコストを抑えたミラーの曇り止め構造を提供することを課題とする。
【課題を解決するための手段】
【０００７】
前記課題を解決するために本発明のミラーの曇り止め構造は、浴室のミラーの表面と対向する位置に透明板を設け、前記ミラーの前記表面と前記透明板との間に湯を溜める貯湯空間を形成することを特徴とする。
【０００８】
また、前記透明板の下端部には、前記貯湯空間に連通する水抜き孔が開閉自在に設けられていることが好ましい。
【０００９】
また、前記透明板は、前記ミラーに対して位置変更自在に設けられていて、位置変更によって前記貯湯空間と連通する水抜き用隙間が形成されることが好ましい。
【発明の効果】
【００１０】
本発明は、構造がシンプルで、製造コストやランニングコストを抑えたミラーの曇り止め構造を提供することができる。
【図面の簡単な説明】
【００１１】
【図１】本発明の実施形態１のミラーの曇り止め構造を示し、（ａ）は斜視図であり、（ｂ）は側面断面図である。
【図２】本発明の実施形態２のミラーの曇り止め構造を示し、（ａ）は貯湯空間を開放した状態の斜視図であり、（ｂ）は貯湯空間を形成した状態の正面図である。
【発明を実施するための形態】
【００１２】
本発明を添付図面に示す実施形態に基づいて説明する。
【００１３】
実施形態１のミラーの曇り止め構造は、図１（ａ）、図１（ｂ）に示すように、浴室１の壁面１０に取り付けられたミラー２の表面２０と対向する位置に、透明板３が取り付けられたものである。以下においては、ミラー２の表面２０と対向する位置に透明板３が取り付けられた状態を基準とし、ミラー２の表面２０が正対する方向Ｘを前方として説明を行う。
【００１４】
透明板３は、図１（ｂ）にも示すように、前面板３０と、前面板３０の下端から延設された底面板３１と、前面板３０の左右両端から延設された２枚の側面板３２，３２と、が一体となったものから構成され、上方と後方が開口した箱状のものである。透明板３は、底面板３１の後方の端面３３がミラー２の表面２０の下端部２１に固着され、２枚の側面板３２，３２の後方の端面３４，３４がミラー２の表面２０の両側端部２２，２２に固着されて、ミラー２の表面２０に取り付けられている。前面板３０は、前方から視てミラー２と略同大同形に形成されていて、ミラー２の表面２０から所定の距離を置いて、対向する箇所に位置し、ミラー２に対して略平行となるように設けられている。透明板３は、ガラス，アクリル等の透明な材料で形成されている。
【００１５】
透明板３の前面板３０と、ミラー２の表面２０との間には、湯を溜めることができる貯湯空間４が形成されている。貯湯空間４は、ミラー２の表面２０、透明板３の前面板３０、透明板３の側面板３２，３２、及び透明板３の底面板３１で囲まれる上方に開口した空間である。
【００１６】
透明板３の下端部である底面板３１には、上下に貫通する平面視円状の水抜き孔５が形成されている。この水抜き孔５は、貯湯空間４と、透明板３の外側の浴室空間とを連通させて、貯湯空間４に溜められた湯を水抜きするためのものである。水抜き孔５は、水抜け防止栓６が下方から着脱自在に嵌め込まれて、開閉自在となっている。水抜け防止栓６は、下端に近づくほど径が太くなる略円錐状のもので、水抜き孔５に下方から差し込むと、途中で水抜き孔５に水密に嵌合して、水抜き孔５から貯湯空間４に溜められた湯が抜けていくことを止めるものである。なお、水抜け防止栓６は、水抜き孔５に水密に嵌合可能であれば、水抜き孔５より若干径が大きい円柱状等の他の形状のものであっても構わない。また、水抜け防止栓６を、透明板３の底面板３１の下面の一部に連結する紐部（図示せず）を有するものとして、水抜き孔５から外した際に、無くなることがないようにしてもよい。また、水抜き孔５は、水抜け防止栓６の代わりに、底面板３１の下面に沿ってスライドする板状のスライド開閉蓋（図示せず）で開閉自在とするものであっても構わない。
【００１７】
上記構成のミラー２の曇り止め構造の使用方法について説明を行う。
【００１８】
まず、水抜き孔５を水抜け防止栓６で塞ぐ。次に、透明板３とミラー２の表面２０との間の貯湯空間４に、上方からシャワー等で湯を溜める。なお、ここで溜める湯は、入浴の際に、浴槽に溜めたりシャワー等で吐水させる、４０℃程度の温度のものである。
【００１９】
以上のようにすると、ミラー２の表面２０と透明板３との間には湯の層ができ、透明板３は、その湯の層によって浴室１の室温以上の温度に温められる。すなわち、ミラー２の表面２０と、透明板３の貯湯空間４側の面（前面板３０の後面及び側面板３２，３２の内側面）には、湯の層が重なることになるので、結露ができず曇ることはない。また、透明板３自体が浴室１の室温以上の温度に温められた状態となっている間は、透明板３の外側の面（前面板３０の前面及び側面板３２，３２の外側面）には、結露ができず曇ることはない。
【００２０】
そして、ミラー２の表面２０との間に湯の層を形成するように設けた透明板３は透明で、間に溜めた湯も透明であるので、入浴者が透明板３及び湯を介してミラー２を視た場合に映る姿が、ミラー２を直接視た場合に映る姿とほぼ変わらない。よって、本実施形態のミラー２の曇り止め構造は、ミラー２の表面２０との間に湯の層を形成するように透明板３を設けたことで、曇りが発生することを極力抑制したものとなっている。
【００２１】
なお、仮に貯湯空間４に溜めた湯の温度が下がって、透明板３の外側の面（前面板３０の前面及び側面板３２，３２の外側面）に結露が生じることがあれば、水抜き孔５を開状態にして、温度の下がった湯を一旦抜いて、新しく４０℃程度の湯を溜めればよい。
【００２２】
次に実施形態２のミラー２の曇り止め構造について、説明を行う。なお、実施形態１と同じ構成には、同じ符号を付けて説明を省略し、違う構成について説明を行う。
【００２３】
実施形態２のミラー２の曇り止め構造は、ミラー２の表面２０に板状の透明板３を取り付けたものである。すなわち、実施形態２の透明板３は、実施形態１の透明板３の前面板３０のみで構成される。
【００２４】
図２（ａ）に示すように、透明板３の前面板３０の後面の両側端部及び下端部には、全体の形状が略Ｕ字状となる防水パッキン７が透明板３の外枠に沿うように固着されている。防水パッキン７は、方向Ｘの幅（寸法）が肉厚に形成されている。透明板３の後面の防水パッキン７がミラー２の表面２０に当接するように透明板３をミラー２に取り付けた状態において、ミラー２の表面２０、透明板３、及び防水パッキン７で囲まれる空間が、貯湯空間４となる。すなわち、本実施形態では、防水パッキン７が、実施形態１の透明板３の２枚の側面板３２，３２、及び底面板３１の代わりの構成となっている。ここで、上述の貯湯空間４を形成した状態において、透明板３の上端部とミラー２の上端部との間には、防水パッキン７の厚み分の隙間が形成されていて、この隙間を介して、貯湯空間４にシャワー等で湯を流し込むことができる。
【００２５】
透明板３は、上端の両側部がミラー２の表面２０の上端の両側部にヒンジ部等の連結部３５（詳細な構成は図示せず）を介して取り付けられていて、透明板３の下端部３６がミラー２の表面２０の下端部２４から離れる方向に動くことができるようになっている。すなわち、透明板３は、ミラー２に対して連結部３５を軸として回転移動自在に設けられている。また、透明板３の下端部３６がミラー２の表面２０の下端部２４から離れた状態で、透明板３とミラー２の間には水抜き用隙間９が形成される。この水抜き用隙間９は、実施形態１における水抜き孔５と同様に、貯湯空間４と透明板３の外側の浴室空間とを連通させて、貯湯空間４に溜められた湯を水抜きするためのものである。
【００２６】
ミラー２の表面２０には、図２（ｂ）に示すように、透明板３が取り付けられた状態において、略Ｕ字状の防水パッキン７の内側面７０に一面が当接する複数の位置決め用パッキン８が、所定の間隔を開けながら全体として略Ｕ字状となるように取り付けられている。位置決め用パッキン８は、防水パッキン７と、方向Ｘの幅（寸法）が略同じとなるように形成されている。この複数の位置決め用パッキン８のミラー２の外枠側の面（外側面８０）に、防水パッキン７の内側面７０が相互に押し合うように当接して、防水パッキン７は全体としてこの複数の位置決め用パッキン８に嵌合する状態となる。ここで、透明板３は、透明板３の自重と、防水パッキン７と位置決め用パッキン８との嵌合とで、ミラー２から外れ難くなっている。なお、ミラー２の下端部２４又はミラー２の下方の壁面１０に外れ防止用フック（図示せず）を設けて、その外れ防止用フックで、透明板３がミラー２から外れないようにしても構わない。外れ防止用フックを設けるのであれば、位置決め用パッキン８を設けない構成としても構わない。
【００２７】
上記構成のミラー２の曇り止め構造の使用方法について説明を行う。
【００２８】
まず、透明板３をミラー２に押し付け、防水パッキン７と位置決め用パッキン８とを嵌合させて、貯湯空間４を形成する。次に、透明板３とミラー２の表面２０との間の貯湯空間４に上方からシャワー等で湯を溜める。
【００２９】
以上のようにすると、ミラー２の表面２０と透明板３との間には、湯の層ができ、透明板３は、その湯の層によって浴室１の室温以上の温度に温められる。すなわち、ミラー２の表面２０と、透明板３の貯湯空間４側の面（前面板３０の後面）には、湯の層が重なることになるので、結露ができず曇ることはない。また、透明板３自体が浴室１の室温以上の温度に温められた状態となっている間は、透明板３の外側の面（前面板３０の前面）には、結露ができず曇ることはない。
【００３０】
なお、仮に貯湯空間４に溜めた湯の温度が下がって、透明板３の外側の面（前面板３０の前面）に、結露が生じることがあれば、透明板３の下端部３６をミラー２の下端部２４から離れる方向に動かして貯湯空間４を開放して、温度の下がった湯を一旦抜いて、新しく４０℃程度の湯を溜めればよい。
【００３１】
このように、実施形態２では、実施形態１の水抜き孔５の構成の代わりに、透明板３をミラー２に対して回転移動自在としたことで、貯湯空間４を開放した状態にして、排水することができるようになっている。このような構成としたことで、実施形態２のミラー２の曇り止め構造は、透明板３及びミラー２の手入れがしやすくなっている。
【００３２】
以上、本発明の実施形態について説明した。以下においては、本発明の実施形態の奏する効果について、改めて詳述する。
【００３３】
（各実施形態の作用効果）
以上、本発明の実施形態１，２について説明した。奏する効果について、改めて詳述する。
【００３４】
本発明の実施形態１，２のミラー２の曇り止め構造は、浴室１のミラー２の表面２０と対向する位置に透明板３を設け、ミラー２の表面２０と透明板３との間に湯を溜める貯湯空間４を形成している。
【００３５】
以上のような構成とすることで、浴室１のミラー２の表面２０と、ミラー２の表面２０に対向する位置に設けた透明板３との間の貯湯空間４に湯（４０℃程度の湯）を溜めることができる。貯湯空間４に湯を溜めることで、ミラー２の表面２０と透明板３の貯湯空間４側の面には、湯の層が重なるので、結露できず曇ることはない。ここで、透明板３自体が浴室１の室温以上の温度に温められた状態となっている間は、透明板３の外側の面には、結露ができず曇ることはない。このように、実施形態１，２のミラー２の曇り止め構造は、ミラー２の表面２０との間に湯の層を形成するように透明板３を設けたことで、曇りが発生することを極力抑制したものとなっている。
【００３６】
上述のような構成とすることで、本発明の実施形態１，２のミラー２の曇り止め構造は、従来例のようにミラー２の裏側にヒータや給湯管を設けなくてもよく、ミラー２と対向する位置に透明板３をミラー２との間に湯の層が形成されるように設けるだけでよい。よって、本発明の実施形態１，２のミラー２の曇り止め構造は、構造がシンプルで、製造コストやランニングコストを抑えたものとなっている。
【００３７】
また、本発明の実施形態１のミラーの曇り止め構造は、透明板３の下端部には、貯湯空間４に連通する水抜き孔５が開閉自在に設けられている。
【００３８】
以上のような構成とすることで、透明板３の下端部に設けた水抜き孔５を開状態とすれば、貯湯空間４に溜まっていた温度の下がった湯を排水することができる。よって、透明板３の温度が、浴室１の温度以下になった場合には、湯を入れ替えて、また曇らない状態とすることができる。
【００３９】
また、本発明の実施形態２のミラーの曇り止め構造は、透明板３が、ミラー２に対して位置変更自在に設けられていて、位置変更によって貯湯空間４と連通する水抜き用隙間９が形成される。
【００４０】
以上のような構成とすることで、透明板３をミラー２の表面２０に対して位置変更させて、貯湯空間４の水が抜ける水抜き用隙間９を形成すれば、貯湯空間４に溜まっていた温度の下がった湯を排水することができる。よって、透明板３の温度が、浴室１の室温以下になった場合には、湯を入れ替えて、また曇らない状態とすることができる。
【００４１】
（変更例）
なお、実施形態１，２においては、透明板３はミラー２の表面２０に直接取り付けられた構成となっているが、透明板３は、ミラー２の外側の浴室１の壁面１０に取り付けられるような構成であっても構わない。このようにすれば、ミラー２の表面２０全面を有効に利用できる。
【００４２】
また、実施形態２においては、ミラー２の上端と透明板３の上端とを連結部３５を介して取り付けたが、ミラー２の側端部と透明板３の側端部とを連結部３５を介して取り付けてもよいし、ミラー２の下端部２４と透明板３の下端部３６とを連結部３５を介して取り付けてもよい。この場合、貯湯空間４に溜めた湯や透明板３の自重によって、ミラー２から透明板３が勝手に外れないように、上述した外れ防止フックのような構成を設ければよい。
【００４３】
また、実施形態１，２においては、透明板３をミラー２に接続部を介して着脱自在に取り付けても構わない。また、透明板３をミラー２にスライド部を介してスライド自在に取り付けても構わない。これらの場合も、透明板３の自重で、ミラー２から透明板３が勝手に外れたりしないような構成を別途設ければよい。
【００４４】
また、実施形態１においては、透明板３の底面板３１に水抜き孔５を設けていたが、透明板３の下端部であれば、前面板３０や側面板３２，３２に設けても構わない。また、実施形態２においても、透明板３の下端部３６の前面板３０や防水パッキン７に、水抜き孔５を設けても構わない。
【００４５】
以上、本発明を添付図面に示す実施形態に基づいて説明したが、本発明は上述の各実施形態に限定されるものではなく、本発明の意図する範囲内であれば、適宜の設計変更が可能である。
【符号の説明】
【００４６】
１      浴室
２      ミラー
２０    表面
３      透明板
４      貯湯空間
５      水抜き孔
６      水抜き用隙間
【図１】
2011245021.tif 000003
【図２】
2011245021.tif 000004